(57)【要約】【課題】  ろ過装置の逆洗に使用する逆洗水のリサイクルシステムを提供する。【解決手段】  浴槽からの浴用水を循環ポンプ、ろ過装置、紫外線照射装置の順序で経由させた後、浴槽へ戻す浴用水の循環システムにあって、該ろ過装置の逆洗時においては、該浴槽からの浴用水を該循環ポンプを経由させた後、該ろ過装置の逆洗を行い、その逆洗水を逆洗専用フィルターを経由させて、次に、該紫外線照射装置を経由させてから浴槽へと再流入させる。【選択図】    図１
2006035200.tif 000002
【特許請求の範囲】
【請求項１】
浴槽からの浴用水を、循環ポンプ、ろ過装置、紫外線照射装置の順序で経由させた後、浴槽へ戻す浴用水の循環システムにあって、該ろ過装置の逆洗時においては、該浴槽からの浴用水を該循環ポンプを経由させた後、該ろ過装置の逆洗を行い、その逆洗水を逆洗時専用フィルターを経由させて、次に該紫外線照射装置を経由させてから、浴槽へと再流入させることを特徴とする逆洗水のリサイクルシステム。
【発明の詳細な説明】
【技術分野】
【０００１】  本発明は、浴用水の循環システムにあって、ろ過装置の逆洗時の逆洗水を、その経路中に取り付けられた逆洗時専用フィルターと、紫外線照射装置によって随意時間帯に殺菌、浄化し、その逆洗水を再生利用する逆洗水のリサイクルシステムに関するものである。
【背景技術】
【０００２】  浴用水を、循環ポンプにより循環させ、ろ過装置等で浄化処理をさせるシステムが一般的なものとなってきているが、浴室外に設置されるタイプのものは、その大多数が砂ろ過方式であり、この砂ろ過方式のろ過装置には逆洗が不可欠である。逆洗を怠ればろ過層内に固定の水道（みずみち）が出来、ろ過能力を著しく低下させることになる。したがって、少なくとも１日１回の逆洗が必要になる。そのため、逆洗する時間中、浴用水の循環が停止される。通常逆洗時間は、大体５〜７分間位であり、それに用いられる逆洗水としては、通常循環させている浴用水を用いている。そして逆洗水は全量排水廃棄されてしまっている。
【発明の開示】
【発明が解決しようとする課題】
【０００３】  上述のように逆洗時間は、大体５〜７分間くらいである。循環ポンプの能力は通常浴槽量を１時間に２回転する。したがって逆洗時の１回当たりの逆洗水の量は浴槽の６分の１以上を必要とする。この量が逆洗するたびに排水廃棄されてしまっている。【０００４】  その上、この排水廃棄される浴用水は、一般的に３８〜４５℃の適温に保たれた浴用水であり、排水廃棄により減少した分の補給水が必要とされる。この補給水を適温にするための加熱エネルギーを新たに負担しなければならない。【０００５】  逆洗は通常営業の終了した後に行われるため、休日や深夜等の営業時間外の時間帯が一般的である。営業時間帯では逆洗が困難なのである。循環システム式の浴用水を従来の逆洗方法で逆洗すれば、浴槽の水量は減少する。しかも浴用水の通常の循環が停止してしまう。したがって従来の浴用水の循環方式では逆洗時間帯を選択するには大きな制約が生じる。【０００６】  本発明は、これらの問題を解消するためになされたものであり、営業時間中、営業時間外を問わず随意時間帯に逆洗を可能とし、且つその逆洗水を殺菌、浄化させて再生利用する逆洗水のリサイクルシステムを提供するものである。
【問題を解決するための手段】
【０００７】  本発明は、浴槽からの浴用水を、循環ポンプ、ろ過装置、紫外線照射装置の順序で経由させた後、浴槽へ戻す浴用水の循環システムにあって、該ろ過装置の逆洗時においては、該浴槽からの浴用水を該循環ポンプを経由させた後、該ろ過装置の逆洗を行い、その逆洗水を逆洗時専用フィルターを経由させて、次に該紫外線照射装置を経由させてから、浴槽へ再流入させることを特徴とする。
【０００８】  紫外線照射装置が循環システムの経路に既に取り付け設置されている既設の循環システムの場合は、ろ過装置と紫外線照射装置との間を結ぶ、逆洗のための配管を新たに行なう。逆洗時専用フィルターや、浴用水の切り換えのためのバルブやベン類も新たに取り付ける。
【０００９】  既設の循環システムに紫外線照射装置未設置の場合は、所定の位置にそれを新設し、その他については前段に記したように行なう。
【００１０】  逆洗水となる浴用水が、ろ過装置上部より流出させ、逆洗時専用フィルターを通して浄化させる。
【００１１】  このフィルターは一例として示せば糸巻型の類の形状で、径５０〜６０ｍｍ、長さ２５０〜５００ｍｍ位のものを数本入れた容器である。フィルターは、最終的には目詰まりするので、浄化時の容器内の圧力が増すことで確認できる。これによってフィルターを交換すればよい。
【００１２】  フィルターで浄化した浴用水は砂ろ渦時における浄化よりもフィルターの目が細かいため、紫外線照射装置に入った場合も汚染物で装置内が汚れる心配はない。
【発明の効果】
【００１３】  逆洗水となる浴用水が、フィルターを経由して汚物を浄化し、再び紫外線照射装置に入る。このとき逆洗された浴用水は排水廃棄されることなく循環経路に戻る。また、逆洗水は再び紫外線照射装置で紫外線とその紫外線照射により発生するオゾン水により、殺菌、有機物分解と脱臭等の浄化が行われる。このため通常循環時と浴用水の性質は無菌状態でまったく変わることはない。したがって保温されていた浴用水が排水廃棄されることなく再生利用される。
【００１４】  逆洗時には若干の流量の減少はあるが、継続して浴槽内に浴用水を流入させることが出来る。このため、一日の中で、浴槽を客が利用の場合においても随時逆洗を行なうことが出来る。つまり営業時間中、営業時間外を問わず随意時間帯での逆洗を可能としたのである。
【００１５】  一日の中で何回でも逆洗が掛けられるようになるため、砂ろ過装置における逆洗頻度が増し、ろ過装置内でのいわゆる、固定の水道（みずみち）が出来ることがなくなり、常に最良の状態でろ過運転が可能になる。したがってろ過装置本来の性能を長期間に渡り維持できる。
【００１６】  浴用水の浄化という面では、随意時間帯に、一日に何回でも逆洗できることから、ろ過装置の性能劣化を防ぎ、従来の使用状態の循環システムの物と比べて、より優れた衛生的な浴用水が提供される。
【発明を実施するための最良の形態】
【００１７】  逆洗時に浴用水がろ過装置内へ送り込まれて逆洗水となり、逆洗時専用フィルターを経由することによって、別の装置としてある、これまで逆洗時には全く使用を停止されていた紫外線照射装置を活用して、そこに逆洗水を通し殺菌し、新たなるオゾン生成水にしたことで、排水廃棄されてしまっていた逆洗水のリサイクルが可能となり、逆洗が何時でも出来る、コストのあまりかからない装置とそのシステムが実現した。
【実施例】
【００１８】  以下本発明の実施の形体について説明する。
図１は本発明の実施例を示す逆洗時の説明図である。
図２は本発明の循環経路を示す通常運転時の説明図である。【００１９】  循環する活用水は通常図２に示す矢印のように流れ循環している。浴槽１からの浴用水は、ヘヤキャッチャー２から循環ポンプ３を経由して三方弁８０を通り、ろ過装置４の上部出入口４１へ流入し、ろ過過程を経て、集水ノズル４３より、下部出入口４２に流出する。そこから紫外線照射装置５の流入口５１へ流入し、紫外線照射装置に内設されている紫外線ランプ５３，５４の照射により、殺菌されていく。この状態のとき紫外線ランプ５３，５４は浴用水中に浸漬されている。紫外線ランプは紫外線照射装置の容量により２本に止まらない。【００２０】  浴用水が紫外線照射装置５内で殺菌されるとき、オゾンが生成されその浴用水は新たなオゾン水となる。紫外線ランプ５３，５４の照射の波長がオゾン生成の出来る波長としてあるからである。【００２１】  浴用水は紫外線照射装置５内で生成されたてのオゾンを含む、無菌状態で紫外線照射装置５の流出口５２から流出し、熱交換器６を経由して浴槽１へ戻っていく。熱交換器６は、浴用水温の上昇用であって、冷鉱泉や低温の温泉の源泉水をそのまま用いるところでは必ずしも必要としない。
以上が浴用水の、浴用に供する循環システムの流れである。【００２２】  ろ過装置４の逆洗時には、図１に示す矢印のように流れる。浴槽１からの浴用水は、ヘヤキャッチャー２からポンプ３を経由するところまでは循環時と同経路を流れるが、ポンプより送出された先にある三方弁８０の切り換えで、ろ過装置４内へ流出し、集水ノズル４３より逆洗水として放出される。ろ過装置４の上部出入口４１より流出した逆洗水は、逆洗専用フィルター７を経由して紫外線照射装置５の中へ流入口５１から流入する。逆洗専用フィルター７は逆洗時のみ用に供されるものであり交換、清掃は簡易に出来るもので糸巻きフィルターの類のものが適当である。逆洗専用フィルター７にはドレン廃棄用のバルブ９１と配水管１０１を設けてある。【００２３】  紫外線照射装置５の中で新生成のオゾン水となった浴用水は無菌状態で流出口５２より流出し、以降通常運転と同様熱交換器６を経由して浴槽１へと再流入させる。【００２４】  本発明は、このように浴用水をそのままろ過装置に逆洗水として送り込み、逆洗専用のフィルターを通した後、再び紫外線照射装置を経由させる方法を取り入れることでこれまで排水廃棄されていた逆洗水を再生利用させたリサイクルシステムである。【００２５】  図中において、バルブ９０は循環時は閉、逆洗時は開、バルブ９１は循環時は開、逆洗時は閉となる。バルブ９２は循環時は閉、逆洗時は開、バルブ９３は循環時は開、逆洗時は閉、バルブ９４，９５は循環時、逆洗時共に開である。
【産業上の利用可能性】
【００２６】  本発明は浴用水に循環システムとして利用するべくその内容を詳述しているがこの種のろ過装置を有するプール施設等、広く利用できるものである。活性炭、セラミックボール等のろ過装置においても同様に利用できるものである。
【図面の簡単な説明】
【００２７】
【図１】  本発明の実施例を示す逆洗時の説明図である。
【図２】  本発明の循環経路を示す通常運転時の説明図である。
【符号の説明】
１浴槽
２ヘヤキャッチャー
３循環ポンプ
４ろ過装置
５紫外線照射装置
６熱交換器
７逆洗時専用フィルター
４１上部出入口
４２下部出入口
４３集水ノズル
５１流入口
５２流出口
５３紫外線ランプ
５４紫外線ランプ
８０三方弁
９０バルブ
９１バルブ
９２バルブ
９３バルブ
９４バルブ
９５バルブ
１０１配水管
【図１】
2006035200.tif 000003
【図２】
2006035200.tif 000004